(57)【特許請求の範囲】
【請求項１】
床面の温水マットに温水を循環させて室内を暖める温水式の床暖房システムに対して前記温水マットの温度を計測する床温センサと、前記床温センサで計測された温度情報に基づいて前記床暖房システムの状態を判断する床暖房コントローラとを有する床暖房システムの試運転装置において、
前記床暖房コントローラは、複数の前記床温センサからの複数の温度情報をほぼ同時に取得して、前記複数の温度情報に基づいて前記床暖房システムの状態を判断する判断部を有することを特徴とする床暖房システムの試運転装置。
【請求項２】
請求項１記載の床暖房システムの試運転装置において、
前記床暖房コントローラは、前記複数の床温センサを取外し可能に接続する複数の接続口を有していることを特徴とする床暖房システムの試運転装置。
【請求項３】
請求項１記載の床暖房システムの試運転装置において、
前記床暖房コントローラと前記複数の床温センサとは一体的に接続されていることを特徴とする床暖房システムの試運転装置。
【請求項４】
請求項１乃至３のいずれかに記載の床暖房システムの試運転装置において、
前記複数の床温センサのうち使用するセンサを選択する選択手段を有していることを特徴とする床暖房システムの試運転装置。
【請求項５】
請求項４記載の床暖房システムの試運転装置において、
前記選択手段は、前記複数の床温センサのうち使用するセンサを選択するために前記床暖房コントローラに設けられた専用スイッチを有していることを特徴とする床暖房システムの試運転装置。
【請求項６】
請求項４記載の床暖房システムの試運転装置において、
前記選択手段は、前記床暖房コントローラに設けられ、所定の手順により室内温度調節用から前記床温センサ選択用に切り替わるスイッチを有していることを特徴とする床暖房システムの試運転装置。
【請求項７】
床面の温水マットに温水を循環させて室内を暖める温水式の床暖房システムに対して前記温水マットの温度を計測する床温センサと、前記床温センサで計測された温度情報に基づいて前記床暖房システムの状態を判断する床暖房コントローラとを有する床暖房システムの試運転装置において、
前記床暖房コントローラと複数の前記床温センサとの間に配置され、複数の前記床温センサからの複数の温度情報をほぼ同時に取得して、前記複数の温度情報に基づいて前記床暖房システムの状態を判断し、判断結果を前記床暖房コントローラに出力する判断ユニットを有することを特徴とする床暖房システムの試運転装置。
【請求項８】
請求項７記載の床暖房システムの試運転装置において、
前記判断ユニットは、前記複数の床温センサを取外し可能に接続する複数の接続口を有していることを特徴とする床暖房システムの試運転装置。
【請求項９】
請求項７記載の床暖房システムの試運転装置において、
前記判断ユニットと前記複数の床温センサとは一体的に接続されていることを特徴とする床暖房システムの試運転装置。
【請求項１０】
請求項７乃至９のいずれかに記載の床暖房システムの試運転装置において、
前記複数の床温センサのうち使用するセンサを選択する選択手段を有していることを特徴とする床暖房システムの試運転装置。
【請求項１１】
請求項１０記載の床暖房システムの試運転装置において、
前記選択手段は、前記複数の床温センサのうち使用するセンサを選択するために前記判断ユニットに設けられた専用スイッチを有していることを特徴とする床暖房システムの試運転装置。
【請求項１２】
請求項１０記載の床暖房システムの試運転装置において、
前記選択手段は、前記判断ユニットに設けられ、所定の手順により室内温度調節用から前記床温センサ選択用に切り替わるスイッチを有していることを特徴とする床暖房システムの試運転装置。
【請求項１３】
請求項１乃至６記載の床暖房システムの試運転装置において、
前記床暖房コントローラは、前記複数の床温センサを収納する収納部を有すること
を特徴とする床暖房システムの試運転装置。
【請求項１４】
請求項７乃至１２記載の床暖房システムの試運転装置において、
前記判断ユニットは、前記複数の床温センサを収納する収納部を有すること
を特徴とする床暖房システムの試運転装置。
【発明の詳細な説明】
【０００１】
【発明の属する技術分野】
本発明は、床面からの輻射熱で室内を暖める温水式の床暖房システムの試運転装置に関する。
【０００２】
【従来の技術】
従来、熱源機で作った約６０°Ｃの低温水を温水マットに循環させ、床からの輻射熱で部屋全体を均一に暖房する温水式の床暖房システムが用いられている。図７は従来の床暖房システムの概要を説明する図である。図７に示すように、床暖房システムでは、屋外に配置され、例えばガスを燃焼させて水を所定温度になるまで加熱して温水配管１２に送り出す熱源機１が設けられている。温水配管１２は、熱源機１から温水マット４、６に向かう温水が流れる往き管と、温水マット４、６内を循環した水が熱源機１に戻るための戻り管とを有しており、周囲は断熱材で囲まれている。
【０００３】
温水マット４、６は室内の例えば下地合板とフローリング材との間に敷き詰められて配置されており、マット内には、温水配管１２の往き管及び戻り管と接続された温水循環用のパイプが設けられている。また、温水マット４、６が配置された室内には、室温を計測して室内の温度調節を行う床暖房コントローラ２が壁などに取り付けられており、床暖房コントローラ２から所望の室温が維持されるように信号線８を介して熱源機１に指令を送出することができるようになっている。熱源機１は、床暖房コントローラ２からの指令に基づいて温水マット４、６に供給する温水の供給時間を制御して、温水マット４、６からの床を介した輻射熱により室内を所定の室温に維持させるようになっている。
【０００４】
さて、以上説明したような床暖房システムを導入して正常に運転させるには、システム導入時に試運転を行う必要がある。そのため、図７に示すように、床温センサ１４が用いられる。床温センサ１４は例えばサーミスタからなり、床温センサ１４を図示のように温水マット４表面に接触させて温水マット４の温度を計測して、信号線１０を介して床暖房コントローラ２に温水マット４の温度を伝えることができるようになっている。床温センサ１４は試運転の時にのみ使用するものであるので、例えば、床暖房コントローラ２の底部に１つ設けたジャック穴に床温センサ１４の信号線１０のジャックを差し込んで使用し、使用後はジャックを引き抜いて別に収納したり、あるいは床暖房コントローラ２に固定された端部を有する信号線１０により床温センサ１４の使用後は、床暖房コントローラ２内に収納するようにしてもよい。
【０００５】
このような構成を有する床暖房システムにおける試運転では、例えば、試運転開始から５０分以内に温水マット４の温度が５°Ｃ上昇したことを床温センサ１４の計測により床暖房コントローラ２が検出したら、温水マット４を含む暖房機能が正常であると判断し、当該時間以内に５°Ｃまで上昇しなかったら何らかの異常や故障、例えば誤配管などにより床暖房が正常に機能していないと判断している。例えば、温水マット４と温水マット６とが配置される部屋がそれぞれ別系統の温水配管１２で構成されているような場合、試運転を行って異常報告がなされると、各部屋に配管されるべき２系統の温水配管１２が入れ替わったクロス配管などの誤配管を発見することができる。これらの判断結果は、床暖房コントローラ２から信号線８を介して熱源機１に伝達される。
【０００６】
【発明が解決しようとする課題】
以上説明した試運転により、誤配管や温水マットの異常を発見して事前に修理等を行うことができるので品質の優れた床暖房システムを提供することができるようになる。ところが、上記試運転では温水マット４と温水マット６とは別系統で別々の部屋に敷き詰められていることを前提にしているが、温水マット４、６が同一系統の温水配管１２で同一の部屋に敷き詰められているような場合には以下の問題が生じる。第一に、１つの部屋に複数枚の温水マット４、６が敷かれている場合の試運転において、１つの温水マット４の温度を床温センサ１４により計測して異常が見つからなかったとしても、例えば他の温水マット６のパイプが詰まっていて、温水が温水マット６内を循環しないような事態を発見することができないという問題がある。第二に、温水マット４の計測が終わってから温水マット６側の温度も床温センサ１４で計測するようにすることは不可能ではないが、同一系統内での温水マットの数が多数になればなるほど試運転に要する時間が極めて長時間になってしまい現実的でないという問題がある。
【０００７】
本発明は、上記従来の技術が有している技術的課題を解決するためになされたものであり、その目的は、短時間で正確に床暖房システムの運転状態を把握できる床暖房システムの試運転装置を提供することにある。
【０００８】
【課題を解決するための手段】
上記目的は、床面の温水マットに温水を循環させて室内を暖める温水式の床暖房システムに対して温水マットの温度を計測する床温センサと、床温センサで計測された温度情報に基づいて床暖房システムの状態を判断する床暖房コントローラとを有する床暖房システムの試運転装置において、床暖房コントローラは、複数の床温センサからの複数の温度情報をほぼ同時に取得して、複数の温度情報に基づいて床暖房システムの状態を判断する判断部を有することを特徴とする床暖房システムの試運転装置によって達成される。
【０００９】
本発明の床暖房システムの試運転装置において、床暖房コントローラは、複数の床温センサを取外し可能に接続する複数の接続口を有していることを特徴とする。あるいは本発明の床暖房システムの試運転装置において、床暖房コントローラと複数の床温センサとは一体的に接続されていることを特徴とする。
また本発明の床暖房システムの試運転装置は、複数の床温センサのうち使用するセンサを選択する選択手段を有していることを特徴とする。そして、選択手段は、複数の床温センサのうち使用するセンサを選択するために床暖房コントローラに設けられた専用スイッチを有していることを特徴とする。あるいは、選択手段は、床暖房コントローラに設けられ、所定の手順により室内温度調節用から床温センサ選択用に切り替わるスイッチを有していることを特徴とする。
【００１０】
また上記目的は、床面の温水マットに温水を循環させて室内を暖める温水式の床暖房システムに対して温水マットの温度を計測する床温センサと、床温センサで計測された温度情報に基づいて床暖房システムの状態を判断する床暖房コントローラとを有する床暖房システムの試運転装置において、床暖房コントローラと複数の床温センサとの間に配置され、複数の床温センサからの複数の温度情報をほぼ同時に取得して、複数の温度情報に基づいて床暖房システムの状態を判断し、判断結果を床暖房コントローラに出力する判断ユニットを有することを特徴とする床暖房システムの試運転装置によって達成される。
【００１１】
本発明の床暖房システムの試運転装置において、判断ユニットは、複数の床温センサを取外し可能に接続する複数の接続口を有していることを特徴とする。またあるいは、本発明の床暖房システムの試運転装置において、判断ユニットと複数の床温センサとは一体的に接続されていることを特徴とする。
【００１２】
上記判断ユニットを有する床暖房システムの試運転装置において、複数の床温センサのうち使用するセンサを選択する選択手段を有していることを特徴とする。そして、選択手段は、複数の床温センサのうち使用するセンサを選択するために判断ユニットに設けられた専用スイッチを有していることを特徴とする。あるいは、選択手段は、判断ユニットに設けられ、所定の手順により室内温度調節用から床温センサ選択用に切り替わるスイッチを有していることを特徴とする。
【００１３】
このように本発明によれば、一部屋に複数枚の温水マットが敷かれている場合の試運転において、１つの温水マットの温度を床温センサで計測するのではなく、複数の温水マットの温度をほぼ同時に計測することができるようになるので、いずれかの温水マットについて異常があれば試運転においてシステムの異常を発見することが可能になり、また、同一系統内での温水マットの数が多数になっても試運転に要する時間は変わらないので、短時間で正確に床暖房システムの運転状態を把握できる床暖房システムの試運転装置を実現できる。
【００１４】
【発明の実施の形態】
本発明の第１の実施の形態による床暖房システムの試運転装置を図１乃至図３を用いて説明する。まず、本実施の形態による床暖房システムの試運転装置の概略の構成を図１を用いて説明する。本実施の形態による床暖房システムの試運転装置は、図７に示したような床面の温水マットに温水を循環させて室内を暖める温水式の床暖房システムに対して、１つの温水マットの温度を計測する１つの床温センサからの温度情報に基づいて床暖房システムの状態を判断する従来の床暖房コントローラに代えて、複数の床温センサからの複数の温度情報をほぼ同時に取得して、複数の温度情報に基づいて床暖房システムの状態を判断する判断部を有している床暖房コントローラを備えていることを特徴としている。
【００１５】
図１において、従来の床暖房システムと同一の機能作用を有する構成要素には同一の符号を付してその説明は省略するものとする。図１に示したように、床暖房システムの試運転時には温水マット４、６の双方に床温センサ１４、１５をそれぞれ接触させている。床温センサ１４、１５で計測された温水マット４、６の各温度情報は、それぞれ信号線１０、１１を介して床暖房コントローラ２０に伝達されるようになっている。
【００１６】
試運転が開始されると、熱源機１で所定温度にまで加熱させられた温水は、温水配管１２の往き管を流れて温水マット４、６内を循環し、温水配管１２の戻り管から熱源機１に戻される。温水マット４、６は室内の例えば下地合板とフローリング材との間に敷き詰められているので、試運転の段階では、温水マット４、６の配置された位置のフローリング材表面に床温センサ１４、１５を接触させるようにしてもよいし、フローリング材を敷き詰める前段階で試運転を行い、温水マット４、６に直接床温センサ１４、１５を接触させるようにしてもよい。
【００１７】
温水マット４、６はそれぞれ温水配管１２の往き管及び戻り管に接続された温水循環用のパイプを流れる温水により熱が伝達され、マット表面の温度が徐々に上昇する。上述のように、試運転においては、例えば５０分以内に５°Ｃ以上に温水マット（あるいはその上部のフローリング材）表面の温度が上昇すれば床暖房システムは正常であると判断する。この試運転での判断は、通常運転時では温水マット４、６が配置された室内の室温の温度調節を行う床暖房コントローラ２０により行われるようになっている。
【００１８】
次に、本実施の形態による床暖房コントローラ２０の概略の構成を図２を用いて説明する。床暖房コントローラ２０は、複数の床温センサ１４、１５からの複数の温度情報が複数の信号線１０、１１を介して入力する入力部２２を有している。入力部２２は入力された複数の温度情報をほぼ同時に取り込んで（ラッチして）順次切り替えながら連続的に判断部２４に出力するようになっている。なお、本実施の形態における床暖房コントローラ２０と複数の床温センサ１４、１５とは、入力部２２と各信号線１０、１１とが一体的に接続されており、試運転終了後は床暖房コントローラ２０の収納部（図示を省略）内に巻き取ることができるようになっている。
【００１９】
判断部２４は、複数の温水マット４、６の温度をモニタし、試運転の開始時刻から５０分が経過するまでにすべての温水マット４、６の上昇温度が５°Ｃを越えたと判断したら正常信号を出力部２６に出力するようになっている。また、試運転の開始時刻から５０分が経過しても複数の温水マット４、６のうちいずれか１つでも温水マットの上昇温度が５°Ｃを越えなかったと判断したら異常信号を出力部２６に出力するようになっている。出力部２６は、判断部２４からの信号を受け取って所定の信号に変換し、信号線８を介して熱源機１側に送出するようになっている。なお、床暖房コントローラ２０は、通常運転時には所望の室温が維持されるように信号線８を介して熱源機１に指令を送出することができるようになっているがこのための回路は本実施の形態と無関係なのでその説明は省略する。また、熱源機１は、床暖房コントローラ２０からの指令に基づいて温水マット４、６に供給する温水の供給時間を制御して、温水マット４、６からの床を介した輻射熱により室内を所定の室温に維持させることができるようになっている。
【００２０】
以上説明した構成を有する床暖房コントローラ２０と複数の床温センサ１４、１５とを用いた床暖房システムの試運転の動作を説明する。まず、床暖房コントローラ２０の収納部に収納された例えば全部で６個の床温センサから、使用する２個の床温センサ１４、１５を取り出してそれぞれ温水マット４、６に接触させて温水マット４、６表面の温度に床温センサ１４、１５のサーミスタをなじませておく。なお、残りの４個の不使用の床温センサと使用する床温センサ１４、１５との切り替えは床暖房コントローラ２０に設けられた選択手段としてのディップスイッチ（図示を省略）のスイッチ設定を切り替えることにより容易に設定することができる。また、床暖房コントローラ２０にソフトウエア的に自動判断機能を付加してももちろんよい。あるいは、床暖房コントローラ２０に専用のスイッチを設け、当該専用スイッチを押すことにより、使用する床温センサを選択するモードに切り替わるようにしてもよい。またあるいは、床暖房コントローラ２０で室内温度の調節を行う際に用いられるスイッチやボタンを床温センサの選択手段として流用し、例えば、温度調節用スイッチのいずれかを所定時間以上押し続けることにより、あるいは複数の温度調節用スイッチを同時に押し続けることにより床温センサを選択するスイッチとして機能するように構成してもよい。
【００２１】
次いで、熱源機１に設置された試運転回路に対して信号線８を介して床暖房コントローラ２０から試運転開始の信号を送出する。床暖房コントローラ２０は、試運転開始時刻と共に、入力部２２から取り込んだ床温センサ１４、１５による温水マット４、６のそれぞれの温度情報の初期値を判断部２４内の記憶部に記憶する。
【００２２】
床暖房コントローラ２０からの指令を受けて熱源機１は、ガスバーナーを燃焼させて水を所定温度の温水になるまで加熱して温水配管１２に送り出す。何らかの故障や誤配管等がなければ、温水配管１２から供給される温水により徐々に温水マット４、６表面の温度は上昇する。床暖房コントローラ２０の入力部２２は、試運転開始から５０分を経過するまでの間、定期的に床温センサ１４、１５による温水マット４、６のそれぞれの温度情報をサンプリングして、判断部２４に出力する。判断部２４では、個々の温水マットに関して現在の温度情報と初期値とを比較して、すべての温水マットの温度が５°Ｃ以上変化した場合のみ「正常」の判断をして、出力部２６に正常信号を出力する。試運転開始時刻から５０分が経過しても「正常」の判断ができなかった場合には「異常」の判断をして、出力部２６に異常信号を出力する。正常信号及び異常信号のいずれかが出力されたら、出力部２６は信号線８を介して熱源機１にこの情報を伝達して試運転を終了させる。
【００２３】
このように本実施の形態によれば、一部屋に複数枚の温水マット４、６が敷かれている場合の試運転において、１つの温水マット４の温度だけを床温センサ１４で計測するのではなく、複数の温水マット４、６の温度をほぼ同時に計測することができるようになるので、いずれかの温水マット４、６について異常があれば試運転において確実にシステム異常を発見することが可能になり、また、同一系統内での温水マット４、６の数が多数になっても試運転に要する時間は変わらないので、短時間で正確に床暖房システムの運転状態を把握できる床暖房システムの試運転装置を実現できる。
【００２４】
また、本実施の形態においては、床暖房コントローラ２０と複数の床温センサ１４、１５とは入力部２２と各信号線１０、１１とが一体的に接続されており、試運転終了後は床暖房コントローラ２０の収納部（図示を省略）内に巻き取ることができるように構成したが、これに限られず、床温センサ１４、１５は試運転の時にのみ使用するものであるので、例えば図３（ａ）に示すように、床暖房コントローラ２０の入力部２２に接続される３つのジャック穴３０、３１、３２を筐体底部に設け、図３（ｂ）に示すように、これらジャック穴３０、３１、３２に床温センサ１４、１５の信号線１０、１１の端部に設けたジャック３４、３６を差し込んで使用し、使用後はジャック３４、３６を引き抜いて別に収納するようにしてももちろんよい。
【００２５】
本発明の第２の実施の形態による床暖房システムの試運転装置を図４乃至図６を用いて説明する。まず、本実施の形態による床暖房システムの試運転装置の概略の構成を図４を用いて説明する。本実施の形態による床暖房システムの試運転装置は、図７に示したような１つの温水マットの温度を計測する１つの床温センサからの温度情報に基づいて床暖房システムの状態を判断する従来の床暖房コントローラに対して、床暖房コントローラと複数の床温センサとの間に配置され、複数の床温センサからの複数の温度情報をほぼ同時に取得して、複数の温度情報に基づいて床暖房システムの状態を判断し、判断結果を床暖房コントローラに出力するマルチ床温ユニット（判断ユニット）を有していることを特徴としている。
【００２６】
図４において、従来の床暖房システムと同一の機能作用を有する構成要素には同一の符号を付してその説明は省略するものとする。図４に示したように床暖房システムの試運転の状態において温水マット４、６の双方に床温センサ１４、１５がそれぞれ接触している。床温センサ１４、１５で計測された温水マット４、６の各温度情報は、それぞれ信号線１０、１１を介してマルチ床温ユニット４２に伝達されるようになっている。マルチ床温ユニット４２は、図６に示すように信号線４４を有し、信号線４４端部のジャック４６を床暖房コントローラ２の筐体底部に設けられたジャック穴（図示せず）に差し込んで床暖房コントローラ２と接続されるようになっている。本実施の形態における床暖房コントローラ２は図７に示した従来の床暖房コントローラ２を用いることができる点も本実施の形態の特徴である。
【００２７】
試運転が開始されると、熱源機１で所定温度にさせられた温水は、温水配管１２の往き管を流れて温水マット４、６内を循環し、温水配管１２の戻り管から熱源機１に戻される。温水マット４、６は室内の例えば下地合板とフローリング材との間に敷き詰められているので、試運転の段階では、フローリング材の温水マット４、６の配置された位置に床温センサ１４、１５を接触させるようにしてもよいし、フローリング材を敷き詰める前段階に温水マット４、６に直接床温センサ１４、１５を接触させるようにしてもよい。
【００２８】
温水マット４、６はそれぞれ温水配管１２の往き管及び戻り管に接続された温水循環用のパイプを流れる温水により熱が伝達され、マット表面の温度が徐々に上昇する。上述のように、試運転においては、例えば５０分以内に５°Ｃ以上に温水マット（あるいはその上部のフローリング材）表面の温度が上昇すれば床暖房システムは正常であると判断する。この試運転の判断は、通常運転時では温水マット４、６が配置された室内の室温の温度調節を行う床暖房コントローラ２とマルチ床温ユニット４２とで共同して行われるようになっている。
【００２９】
次に、本実施の形態によるマルチ床温ユニット４２の概略の構成を図５を用いて説明する。マルチ床温ユニット４２は、複数の床温センサ１４、１５からの複数の温度情報が複数の信号線１０、１１を介して入力する入力部５０を有している。入力部５０は入力された複数の温度情報をほぼ同時に取り込んで（ラッチして）順次切り替えながら連続的に判断部５２に出力するようになっている。なお、本実施の形態におけるマルチ床温ユニット４２と複数の床温センサ１４、１５とは入力部５０と各信号線１０、１１とが一体的に接続されており、試運転終了後はマルチ床温ユニット４２の収納部（図示を省略）内に巻き取ることができるようになっている（図６（ａ）参照）。
【００３０】
判断部５２は、複数の温水マット４、６の温度をモニタし、すべての温水マット４、６の上昇温度が計測開始時の初期値より５°Ｃを越えたと判断したら正常信号を出力部５４に出力するようになっている。また、複数の温水マット４、６のうちいずれか１つでも温水マットの上昇温度が５°Ｃを越えていない場合には異常信号を出力部５４に出力するようになっている。出力部５４は、判断部５２から入力された正常／異常信号に基づいて、床暖房コントローラ２が床温センサ１４から通常受け取る温度情報と同等の擬似信号を生成し、信号線４４を介して床暖房コントローラ２に送出するようになっている。このため床暖房コントローラ２は従来の回路構成を有するものを使用することが可能である。
【００３１】
次に、図５に示す構成を有するマルチ床温ユニット４２と複数の床温センサ１４、１５とを用いた床暖房システムの試運転の動作を説明する。まず、マルチ床温ユニット４２の収納部に収納された例えば全部で６個の床温センサから、使用する２個の床温センサ１４、１５を取り出してそれぞれ温水マット４、６に接触させて温水マット４、６表面の温度に床温センサ１４、１５のサーミスタをなじませておく。なお、残りの４個の不使用の床温センサと使用する床温センサ１４、１５とはマルチ床温ユニット４２に設けられた選択手段としてのディップスイッチ（図示を省略）のスイッチ設定を切り替えることにより容易に設定することができる。また、マルチ床温ユニット４２にソフトウエア的に自動判断機能を付加してももちろんよい。あるいは、マルチ床温ユニット４２に専用のスイッチを設け、当該専用スイッチを押すことにより、使用する床温センサを選択するモードに切り替わるようにしてもよい。またあるいは、室内温度の調節を行うスイッチやボタンが床暖房コントローラ２０の代わりにマルチ床温ユニット４２に設けられている場合には、当該スイッチ等を床温センサの選択手段として流用し、例えば、温度調節用スイッチのいずれかを所定時間以上押し続けることにより、あるいは複数の温度調節用スイッチを同時に押し続けることにより床温センサを選択するスイッチとして機能するように構成してもよい。
【００３２】
次いで、床暖房コントローラ２は、熱源機１に設置された試運転回路に対して信号線８を介して試運転開始の信号を送出すると共に、マルチ床温ユニット４２に対しても計測開始の信号を送出する。マルチ床温ユニット４２は計測開始の信号を受け取ると複数の床温センサ１４、１５からの温度情報を初期値として記憶すると共に、当該初期値の擬似温度情報を出力部５４から信号線４４に出力する。床暖房コントローラ２は、試運転開始時刻と共に、信号線４４に出力されている擬似温度情報の初期値を記憶する。
【００３３】
床暖房コントローラ２からの指令を受けて熱源機１は、ガスバーナーを燃焼させて水を所定温度の温水になるまで加熱して温水配管１２に送り出す。何らかの故障や誤配管等がなければ、温水配管１２から供給される温水により徐々に温水マット４、６表面の温度は上昇する。マルチ床温ユニット４２の入力部５０は、定期的に温センサ１４、１５による温水マット４、６のそれぞれの温度情報をサンプリングして、判断部５２に出力する。判断部５２は、個々の温水マットに関して現在の温度情報と初期値とを比較して、すべての温水マットの温度が５°Ｃ以上変化するまで「異常」の判断をして異常信号を出力部５４に出力し、すべての温水マットの温度が５°Ｃ以上変化したら「正常」の判断をして出力部５４に正常信号を出力する。出力部５４は正常信号を受け取るまで、温水マット４の上昇温度が５°Ｃより低いことを示す温度情報が１本の床温センサ１４から出力されているかのように信号線４４に擬似温度情報を出力しつづけ、正常信号を受け取って初めて温水マットの上昇温度が５°Ｃ以上になったことを示す擬似温度情報を信号線４４に出力する。
【００３４】
一方、床暖房コントローラ２の入力部（図示せず）は、試運転開始から５０分を経過するまでの間、定期的にマルチ床温ユニット４２から信号線４４に送出された擬似温度情報をサンプリングして、現在の擬似温度情報と初期値の擬似温度情報とを比較して、温水マットの温度が５°Ｃ以上変化したら「正常」と判断し、試運転開始時刻から５０分が経過しても「正常」の判断ができなかった場合には「異常」の判断をする。「正常」あるいは「異常」のいずれかに判断したら、床暖房コントローラ２は信号線８を介して熱源機１にこの情報を伝達して試運転を終了させる。
【００３５】
このように本実施の形態によれば、一部屋に複数枚の温水マット４、６が敷かれている場合の試運転において、１つの温水マット４の温度だけを床温センサ１４で計測するのではなく、複数の温水マット４、６の温度をほぼ同時に計測することができるようになるので、いずれかの温水マット４、６について異常があれば試運転において確実にシステム異常を発見することが可能になり、また、同一系統内での温水マット４、６の数が多数になっても試運転に要する時間は変わらないので、短時間で正確に床暖房システムの運転状態を把握できる床暖房システムの試運転装置を実現できる。また、このような構成により、床暖房コントローラ２として１個の床温センサ１４だけが接続可能な従来の床暖房コントローラを使用することができる。
【００３６】
また、本実施の形態では図６（ａ）に示すように、マルチ床温ユニット４２と複数の床温センサ１４、１５とは入力部５０と各信号線１０、１１とが一体的に接続されており、試運転終了後はマルチ床温ユニット４２の収納部（図示を省略）内に巻き取ることができるように構成したが、これに限られず、例えば図６（ｂ）に示すように、マルチ床温ユニット４２の入力部５０に接続される複数のジャック穴（図示せず）を筐体底部に設け、これらジャック穴に床温センサ１４、１５の信号線１０、１１の端部に設けたジャック３４、３６を差し込んで使用し、使用後はジャック３４、３６を引き抜いて別に収納するようにしてももちろんよい。
【００３７】
本発明は、上記実施の形態に限らず種々の変形が可能である。
例えば上記第１の実施の形態では、図３に示すように３つのジャック穴３０、３１、３２を設けたが、本発明はこれに限られず、２個あるいは４個以上のジャック穴を設けて複数の床温センサで計測できるように構成してももちろんよい。
【００３８】
【発明の効果】
以上の通り、本発明によれば、一部屋に複数枚の温水マットが敷かれている場合の試運転において、１つの温水マットの温度を床温センサで計測するのではなく、複数の温水マットの温度をほぼ同時に計測することができるようになるので、いずれかの温水マットについて異常があれば試運転において確実に床暖房システムの異常を発見することが可能になり、また、同一系統内での温水マットの数が多数になっても試運転に要する時間は変わらないので、短時間で正確に床暖房システムの運転状態を把握できる床暖房システムの試運転装置を実現できる。
【図面の簡単な説明】
【図１】本発明の第１の実施の形態による床暖房システムの試運転装置の概略の構成を示す図である。
【図２】本発明の第１の実施の形態による床暖房システムの試運転装置の床暖房コントローラの概略の構成を示す図である。
【図３】本発明の第１の実施の形態による床暖房システムの試運転装置の床暖房コントローラと複数の床温センサとの接続状態の他の例を示す図である。
【図４】本発明の第２の実施の形態による床暖房システムの試運転装置の概略の構成を示す図である。
【図５】本発明の第２の実施の形態による床暖房システムの試運転装置のマルチ床温ユニットの概略の構成を示す図である。
【図６】本発明の第２の実施の形態による床暖房システムの試運転装置のマルチ床温ユニットと複数の床温センサとの接続形態を示す図である。
【図７】従来の床暖房システムの概略を説明する図である。
【符号の説明】
１  熱源機
２、２０  床暖房コントローラ
４、６  温水マット
８、１０、１１、４４  信号線
１２  温水配管
１４、１５  床温センサ
２２  入力部
２４  判断部
２６  出力部
３０、３１、３２  ジャック穴
３４、３６、４６  ジャック
４２  マルチ床温ユニット
【図１】
0003753872.tif 000002
【図２】
0003753872.tif 000003
【図３】
0003753872.tif 000004
【図４】
0003753872.tif 000005
【図５】
0003753872.tif 000006
【図６】
0003753872.tif 000007
【図７】
0003753872.tif 000008